(57)【要約】【課題】新規のグリルはもちろんのこと、既存のグリルに対しても付加装着でき、グリル内の空気通過量を任意量に調整できるようにする。【解決手段】筒胴４の室内側の端部に多数個のルーバー壁６が平行に設けてあるグリル本体１と、グリル本体１の通気量を調整する通気調整機構とを含む。通気調整機構は、換気通路２を開閉する調整弁１０と、調整弁１０を開閉操作する調整具１１とを含む。調整弁１０は、二つ折り可能に連結した一対の弁体１２で構成し、ルーバー壁６で往復スライド可能に案内支持した調整具１１で開閉操作する。調整具１１は、操作ノブ１９と、操作ノブ１９に装着固定されるスライドピース２０とを含み、操作ノブ１９とスライドピース２０とでルーバー壁６を内外に挟持することにより、調整具１１がルーバー壁６に沿ってスライド変位できる。【選択図】　　　　図１
2004125338.tif 000002
【特許請求の範囲】
【請求項１】
筒胴４の室内側の端部に多数個のルーバー壁６が平行に設けられているグリル本体１と、グリル本体１の通気量を調整する通気調整機構とを備えており、
通気調整機構が、換気通路２を開閉する調整弁１０と、調整弁１０を開閉操作する調整具１１とを含み、
調整弁１０は、二つ折り可能に連結されて、換気通路２の殆どを塞ぐ開弁姿勢と、換気通路２の殆どを開放する閉弁姿勢とに開閉できる一対の弁体１２で構成されており、
ルーバー壁６に、調整具１１が往復スライド可能に案内支持されている給排気用のグリル。
【請求項２】
弁体１２を開閉操作する一対の調整具１１を備えており、
両弁体１２が、それぞれ調整具１１に連結されている請求項１記載の給排気用のグリル。
【請求項３】
調整具１１が、操作ノブ１９と、操作ノブ１９に装着固定されるスライドピース２０とを有し、
スライドピース２０に各弁体１２の連結片１４が連結されており、
操作ノブ１９とスライドピース２０とでルーバー壁６を内外から挟持することにより、調整具１１がルーバー壁６でスライド自在に案内支持されている請求項１または２記載の給排気用のグリル。
【請求項４】
調整弁１０が、所定形状に打ち抜かれたプラスチックシートを二つ折り状に折曲げて形成した一対の弁体１２と、弁体１２どうしを繋ぐヒンジ部１３とを含む請求項３記載の給排気用のグリル。
【請求項５】
隣接するルーバー壁６の間に差し込み係合されるスライド腕２３が、スライドピース２０に設けられており、
スライドピース２０を操作ノブ１９に係合固定した状態において、スライド腕２３がルーバー壁６を弾性変形させており、
スライド腕２３とルーバー壁６との摩擦抵抗によって、調整具１１を任意のスライド位置に保持できる請求項３または４記載の給排気用のグリル。
【請求項６】
ルーバー壁６に複数個の位置決め体３０が形成されており、調整具１１のスライド開放位置を位置決め体３０で段階的に位置決めできる請求項１から４のいずれかに記載の給排気用のグリル。
【発明の詳細な説明】
【０００１】
【発明の属する技術分野】
本発明は、通気量を調整するための通気調整機構を備えた給排気用のグリルに関する。
【０００２】
【従来の技術】
住宅用の換気システムや、空気調和システムなどに適用される給排気用のグリルは、公知であり（例えば特許文献１参照）、この種のグリルにおいて、通気量を調整可能とすることも公知である（例えば特許文献２参照）。そこでは、半円状の半割ダンパーのそれぞれをグリル本体に軸支して、開閉操作部材で押し引き操作することにより、半割ダンパーを全閉状態（通路全開）と、全開状態（通路全閉）との間で開閉できるようにしている。開閉操作部材はＵ字状の弾性部材からなり、その突端部が半割ダンパーに連結され、室内側の端部に操作ノブを設けてある。
【０００３】
【特許文献１】
特開平１１−２９４８１５号公報（段落番号００１４、図２）
【特許文献２】
特開平１０−１５９１９８号公報（段落番号００２０−００２５、図４）
【０００４】
【発明が解決しようとする課題】
特許文献２に係るグリル構造によれば、半割ダンパーを開閉操作部材で全閉状態と全開状態との間で開閉して、グリル内の通気量を大小に調整できる。しかし、半割ダンパーや開閉操作部材の組み付けスペースを確保する必要があるので、既存のグリルには適用できない。一端が軸支された半割ダンパーは、開閉操作部材で押し引き操作して開閉するが、半開放状態の半割ダンパーに風圧が作用するとき、風圧に基づく外力が開閉操作部材に直接作用し、しかも外力の方向と開閉操作部材の押し引き方向とが一致するため、半開放状態を維持するのが難しい。
【０００５】
グリル本体の整流フィンの内側に配置したフィルターより内奥側には、半割ダンパーが配置されている。そのため、半割ダンパーの開閉状態を視認することができない。開閉操作部材の操作ノブの前後位置を確認することで、半割ダンパーのおおまかな開放状況を推測することはできるが、全開あるいは前閉くらいしか確認できない。さらに、開閉操作部材と半割ダンパーとの連結が外れていたとしても、レジスタを取り外してみない限りは、そのことを確認できない不便もある。
【０００６】
本発明の目的は、通路を開閉する調整弁と、調整弁を開閉操作する調整具とを備えており、グリル内の空気通過量を任意量に調整できる給排気用のグリルを提供することにある。本発明の目的は、新規のグリルはもちろん、既存のグリルに対しても付加装着できる通気調整機構を備えた給排気用のグリルを提供することにある。
【０００７】
本発明の目的は、調整弁を任意の半開放状態に維持でき、従ってグリル内の空気通過量を任意量に調整できる給排気用のグリルを提供することにある。本発明の目的は、グリル枠にフィルターが設けてあったとしても、調整弁の開放状態を目視によって正確に知ることができ、従って、グリルの通気量を適正に調整できる給排気用のグリルを提供することにある。本発明の目的は、調整具の変位量を正確に規定でき、従って通気量を適正に調整できる給排気用のグリルを提供することにある。
【０００８】
【課題を解決するための手段】
本発明の給排気用のグリルは、図１および図２に示すごとく、筒胴４の室内側の端部に多数個のルーバー壁６が平行に設けられているグリル本体１と、グリル本体１の通気量を調整する通気調整機構とを備えている。通気調整機構は、換気通路２を開閉する調整弁１０と、調整弁１０を開閉操作する調整具１１とを含む。調整弁１０は、二つ折り可能に連結されて、換気通路２の殆どを塞ぐ開弁姿勢と、換気通路２の殆どを開放する閉弁姿勢とに開閉できる一対の弁体１２で構成されている。そして、ルーバー壁６に調整具１１が往復スライド可能に案内支持れている。
【０００９】
具体的には、弁体１２を開閉操作する一対の調整具１１を備えており、両弁体１２がそれぞれ調整具１１に連結されている。
【００１０】
調整具１１は、図３に示すごとく操作ノブ１９と、操作ノブ１９に装着固定されるスライドピース２０とを有し、スライドピース２０に各弁体１２の連結片１４が連結されており、操作ノブ１９とスライドピース２０とでルーバー壁６を内外から挟持することにより、調整具１１がルーバー壁６でスライド自在に案内支持されている。
【００１１】
調整弁１０は、図３に示すごとく所定形状に打ち抜かれたプラスチックシートを二つ折り状に折曲げて形成した一対の弁体１２と、弁体１２どうしを繋ぐヒンジ部１３とを含んでいる。
【００１２】
隣接するルーバー壁６の間に差し込み係合されるスライド腕２３が、スライドピース２０に設けられており、スライドピース２０を操作ノブ１９に係合固定した状態において、スライド腕２３がルーバー壁６を弾性変形させており、スライド腕２３とルーバー壁６との摩擦抵抗によって、調整具１１を任意のスライド位置に保持できる。
【００１３】
ルーバー壁６には、図６に示すごとく複数個の位置決め体３０が形成されており、調整具１１のスライド開放位置を位置決め体３０で段階的に位置決めできる。
【００１４】
【発明の作用効果】
本発明では、調整弁１０を二つ折り可能に連結した一対の弁体１２で構成し、両弁体１２の少なくとも片方を、ルーバー壁６に沿って往復スライドする調整具１１で開閉操作することにより換気通路２を開閉して、グリルの通気量を調整できるようにしたので、調整具１１のスライド量に比例して弁体１２を開閉調整でき、グリル内の空気通過量を変更調整できる。空気の通過方向と直交するルーバー壁６に沿って調整具１１をスライド操作するので、風圧によって弁体１２に大きなモーメントが作用する場合にも、調整具１１が先のモーメントで移動操作されるのを阻止でき、調整弁１０を任意の半開放状態に維持して、グリル内の空気通過量を任意量に調整できる。
【００１５】
両弁体１２のそれぞれを調整具１１に連結して、一対の調整具１１で各弁体１２を開閉操作できるようにすると、各調整具１１のスライド量を任意量にすることにより、グリルを通過する空気量を多様に調整できる。必要があれば、片方の調整具１１のみをスライド操作して通気量を調整することにより、空気の給排気部位をグリル開口面の偏寄した位置に設定して、好みの方向に指向させることができる。一対の調整具１１の位置と、両弁体１２の開放量とが一致しているので、調整具１１のスライド位置を視認するだけで、弁体１２の開放量を明確に知ることができ、たとえルーバー壁６の内側にフィルターが配置してあって、弁体１２を覗き見ることができない場合でも、調整弁１０の開閉量と、弁体１２の開放量との偏りを知ることができる。
【００１６】
操作ノブ１９とスライドピース２０とで調整具１１を構成し、操作ノブ１９とスライドピース２０とでルーバー壁６を内外方向から挟持して、調整具１１をルーバー壁６でスライド自在に案内支持すると、同じ隣接間隔のルーバー壁６を備えたグリルに通気調整機構を付加装着できるので、既存のグリルであっても通気調整機構を付加して、グリルの通気量を変更調整できる。両弁体１２は、スライドピース２０に連結支持されていて、グリル本体１からは完全に分離独立しているので、グリル本体１に追加工を施す必要がなく、その点でも既存のグリルに対する取付作業が簡便に行える。
【００１７】
所定形状に打ち抜かれたプラスチックシートを二つ折り状に折曲げて形成した一対の弁体１２と、弁体１２どうしを繋ぐヒンジ部１３とを含む調整弁１０によれば、調整弁１０の構造を極限まで簡素化して、その製作コストを減少でき、構造が簡単な分だけ故障の可能性が低下して長期使用時の信頼性を向上できる。
【００１８】
操作ノブ１９とスライドピース２０とでルーバー壁６を内外に挟持した状態において、スライドピース２０に設けたスライド腕２３でルーバー壁６を弾性変形させると、スライド腕２３とルーバー壁６との摩擦抵抗で調整具１１を任意のスライド位置に位置保持して、調整具１１が遊動スライドするのを確実に防止できるので、調整弁１０を任意の半開放状態に維持できるうえ、弁体１２に大きな風圧が作用する場合にも、弁体１２の開放量が変化することもない。
【００１９】
ルーバー壁６に複数個の位置決め体３０を形成し、位置決め体３０で調整具１１を受け止めることにより、調整具１１のスライド開放位置を段階的に位置決めできるようにすると、調整具１１の変位量を所定量ずつ段階的に変更して、弁体１２の開放量を正確に規定できる。従って、弁体１２の開閉量を過不足なく設定して、通気量を適正に調整できるうえ、風圧によってスライドピース２０がスライド変位操作されることもない。
【００２０】
【実施例】
図１ないし図５は本発明に係る給排気用グリルを建物の外壁に設置して給気グリルとして使用する場合を示す。給気グリルは、グリル本体１と、グリル本体１の通気量を調整する通気調整機構とで構成する。図１において符号２は外壁を内外に貫通する円筒状の換気通路であり、その屋内側の端部にグリル本体１を嵌め込み装着してある。図示していないが、屋外側の通路端部には、水滴の侵入を防ぐフードが装着される。
【００２１】
グリル本体１は円筒状の筒胴４と、筒胴４の室内側の端部外周に連続して張り出るキャップ５と、筒胴４の室内側の端部寄りに多段状に設けたルーバー壁６とを一体に成形したプラスチック成形品からなる。筒胴４の周壁の内奥側は一定間隔置きに設けたスリット７で分割されており、径方向へ弾性変形可能な嵌合片８としてある。この嵌合片８と換気通路２との摩擦によって、グリル本体１は換気通路との装着状態を維持できる。図２において一群のルーバー壁６は、筒胴４を水平に横切る状態で平行に配置してあり、その上下中央部分に通気調整機構の調整具１１が装着されている。
【００２２】
通気調整機構は、換気通路２を開閉する調整弁１０と、調整弁１０を開閉操作する調整具１１とからなる。図３において調整弁１０は、概ね円形に打ち抜いたポリプロピレン製のシートを垂直線に沿って均等に二つ折りして得られた一対の弁体１２・１２と、弁体１２どうしを繋ぐヒンジ部１３とを備えている。両弁体１２・１２はヒンジ部１３を中心にして左右に開閉でき、開閉の度合いによって通気面積を変更し、換気通路２を通過する空気量を大小に調整できる。
【００２３】
各弁体１２の側端縁には長方形状の連結片１４が一体に形成されており、その上下中央に連結穴１５を打ち抜いてある。連結片１４は第２ヒンジ部１６を介して各弁体１２と繋がっており、両者１２・１４は相対的に屈曲できる。先のヒンジ部１３および第２ヒンジ部１６は、ポリプロピレン製のシートを折り曲げてくせ付けすることにより形成してあり、折り曲げられた方向へ戻ろうとする傾向がある。
【００２４】
両弁体１２を円形に拡開した状態における円弧周面の直径寸法は、筒胴４の内面直径寸法より僅かに小さく設定してある（図５（ｂ）参照）。換気通路２を弁体１２で全閉した状態においても、給気できるようにするためである。
【００２５】
調整具１１は左右一対の操作ノブ１９と、各操作ノブ１９に圧嵌装着されるスライドピース２０とで構成する。図３に示すように、操作ノブ１９は上下に長いプラスチック成形品からなり、スライドピース２０と対向する側の周面に、スライドピース２０用の装着穴２１が凹み形成されており、装着穴２１の上下壁に係合孔２２が貫通状に設けられている。図２および図４に示すように、操作ノブ１９の上下長さはルーバー壁６の概ね３ピッチ分の長さに一致している。
【００２６】
スライドピース２０は、上下中央のスライド腕２３と、スライド腕２３の上下に設けた一対の係合腕２４と、これら三者を繋ぐ縦基部２５とを一体に形成した、Ｅ字状のプラスチック成形品からなる。任意のスライド位置において調整具１１を遊動スライド不能に位置保持するために、スライド腕２３の上下厚みは、隣接するルーバー壁６の上下間隔より僅かに大きく設定してある。縦基部２５の外側面には、先の連結片１４を掛け止め装着するための係止爪２６が一体に形成されており、係合腕２４の遊端寄りには、操作ノブ１９の係合孔２２に落ち込み係合する係合爪２７が外向きに突設されている。
【００２７】
通気調整機構は、グリル本体１に対して以下の要領で組み付ける。まず、調整弁１０の各連結片１４をスライドピース２０の係止爪２６に連結し、両者１０・２０を分離不能に一体化する。次に、スライドピース２０のスライド腕２３を、中央のルーバー壁６の間に内面側から差し込む。この状態を維持したまま、操作ノブ１９の装着穴２１にスライド腕２３と係合腕２４の３者を差し込み、係合爪２７を係合孔２２に落ち込み係合させて、操作ノブ１９とスライドピース２０とを一体化する。
【００２８】
この組み付け状態においては、スライドピース２０の上下面が上下のルーバー壁６を僅かに弾性変形させている。そのため、調整具１１はルーバー壁６に沿って往復スライドできるにもかかわらず、スライド腕２３とルーバー壁６との接触面における摩擦抵抗によって、任意のスライド位置を位置保持できる。従って、調整弁１０に大きな風圧が作用する場合にも、弁体１２の開放量が変化することはなく、調整弁１０を任意の半開放状態に維持できることになる。
【００２９】
調整弁１０は、左右の操作ノブ１９をスライド操作することにより開閉される。いま図５（ａ）に示すように、両操作ノブ１９をルーバー壁６の中央に位置させると、両弁体１２は互いに接近して閉弁姿勢となり、換気通路２を全開放する。
【００３０】
逆に、図５（ｂ）に示すように、操作ノブ１９をルーバー壁６の両側端に位置させると、両弁体１２は互いに拡開して開弁姿勢となり、換気通路２の殆どを塞ぐ。その場合にも、弁体１２と筒胴４との間には僅かな隙間が残っており、この隙間から外気を取り入れることができる。
【００３１】
操作ノブ１９のスライド位置と弁体１２の開閉量とは常に一致する。そのため、操作ノブ１９のスライド位置を確認すれば弁体１２の開放量を即座に知ることができ、そのときの通気量を正確に推測できる。とくに、ルーバー壁６の内部にフィルターが配置されている場合でも、弁体１２の開放量を的確に知ることができる。
【００３２】
上記のように、通気調整機構は上下に隣接するルーバー壁６を利用して装着でき、しかも調整弁１０は調整具１１に支持されていて、グリル本体１からは完全に分離独立している。従って、筒胴４の直径寸法およびルーバー壁６の隣接間隔が同じであれば、通気調整機構を既存のグリルに対して問題なく取り付けることができる。また、調整弁１０が傷んだ場合の補修や交換も、グリル本体１を換気通路２から取り外すだけで簡単に行える。
【００３３】
図６ないし図１０は、本発明のそれぞれ異なる別実施例を示す。図６に示すグリルは、スライドピース２０の上下の係合腕２４と対向する上下一対のルーバー壁６に、多数個の位置決め突起（位置決め体）３０を一定間隔おきに膨出形成してあり、操作ノブ１９をルーバー壁６に沿ってスライド開閉するとき、係合腕２４を位置決め突起３０で受け止めることにより、弁体１２の開放量を段階的に変更できる。
【００３４】
このように、操作ノブ１９の開放量を一定量ずつ段階的に変更できるようにしてあると、調整具１１の変位量を正確に規定できる。従って、弁体１２の開閉量を過不足なく設定して、通気量を適正に調整できる。風圧によってスライドピース２０がスライド変位することもよく防止できる。なお、操作ノブ１９は、位置決め突起３０の乗越え抵抗に逆らって全開位置と全閉じ位置との間をスライド操作でき、係合腕２４が位置決め突起３０を乗越えるときルーバー壁６は撓み変形する。他は先の実施例と同じであるので、同じ部材には同じ符号を付して、その説明を省略する。以下の実施例においても同様に扱う。
【００３５】
図７の調整弁１０は、射出成形品で形成して、弁体１２間のヒンジ部１３と、連結片１４と弁体１２との間の第２ヒンジ部１６をそれぞれ一体成形ヒンジで形成した。この調整弁１０によれば、弁体１２の厚みを任意量に設定できるので、グリルを通過する空気流によって弁体１２が振動するのを防ぎ、従って風切り音が発生したり、あるいは弁体１２がばたつくのをよく防止できる。
【００３６】
図８は位置決め体３０の別実施例を示しており、ルーバー壁６に複数個の凹部を形成して位置決め体３０とした。さらに、係合腕２４に弾性変形可能な係合片３１を設けて、係合片３１が位置決め体３０に落ち込み係合することによって、操作ノブ１９を段階的に位置決めできるようにしてある。
【００３７】
図９は換気通路２が断面四角形である場合の実施例を示す。そこでは、片方の弁体１２を筒胴４に固定し、他方の弁体１２を調整具１１で開閉操作できるようにした。この場合には、１個の調整具１１で調整弁１０を開閉するので、調整具１１の位置を見るだけで調整弁１０開放量を確実に知ることができる。筒胴４の断面形状は、換気通路２と同様に断面四角形としておく。
【００３８】
図１０は調整弁１０の使い方が実施例１と異なる。詳しくは、先の例とは異なり調整弁１０を内外で逆向きに反転して、ヒンジ部１３がルーバー壁６側を向くようにした。そのために、スライドピース２０に連続して前後に長いブラケット３２を突設し、その突端に調整弁１０の連結片１４を固定した。
【００３９】
上記の実施例以外に、一対の弁体１２は独立した部品からなるヒンジで開閉可能に連結することができる。弁体１２は金属板でも形成することができる。調整具１１は、操作ノブ１９とスライドピース２０との２部材で構成する必要はなく、例えば断面Ｃ字状の溝を備えた単一部材で構成することができ、その場合には調整具１１をルーバー壁６に外面側から係止装着して、調整具１１をルーバー壁６でスライド自在に案内支持できる。各実施例で説明したグリルは、排気用のグリルとして使用してもよい。
【図面の簡単な説明】
【図１】図２におけるＡ−Ａ線断面図である。
【図２】給排気グリルの正面図である。
【図３】通気調整機構の分解斜視図である。
【図４】図２におけるＢ−Ｂ線断面図である。
【図５】調整弁の開閉状態を示す背面図である。
【図６】通気調整機構の別実施例を示す正面図である。
【図７】調整弁の別実施例を示す要部平面図である。
【図８】位置決め体の別実施例を示す断面図である。
【図９】通気調整機構の別実施例を示す横断平面図である。
【図１０】通気調整機構のさらに異なる別実施例を示す横断平面図である。
【符号の説明】
１　グリル本体
２　換気通路
４　筒壁
６　ルーバー壁
１０　調整弁
１１　調整具
１２　弁体
１４　連結片
１９　操作ノブ
２０　スライドピース
２３　スライド腕
３０　位置決め体
【図１】
2004125338.tif 000003
【図２】
2004125338.tif 000004
【図３】
2004125338.tif 000005
【図４】
2004125338.tif 000006
【図５】
2004125338.tif 000007
【図６】
2004125338.tif 000008
【図７】
2004125338.tif 000009
【図８】
2004125338.tif 000010
【図９】
2004125338.tif 000011
【図１０】
2004125338.tif 000012